(57)【要約】第１導電コネクタ要素、第１導電コネクタ要素と接続されて通電する第２導電コネクタ要素、及び第１コネクタ要素を固定する固定具を有した電気コネクタが開示されている。固定具は固定突起を有しており、搭載ブラケットの対応受領部と固定突起を係合させて自身を搭載ブラケットに固定させる。固定具は固定突起が提供されたフランジを有している。第２コネクタ要素はコネクタフランジを有しており、搭載ブラケットの反対側に搭載される。コネクタフランジは固定突起を受領する穴を有している。
2006518922.tif 000002
【特許請求の範囲】
【請求項１】
電気コネクタであって、
(a)第１導電コネクタ要素と、
(b)第１導電コネクタ要素と接続されて通電させる第２導電コネクタ要素と、
(c)第１導電コネクタ要素を受領固定させるものであり、複数の固定突起を含んでおり、該固定突起を搭載ブラケットの対応受領部に挿入することで自身を搭載ブラケットに搭載させ、本電気コネクタを搭載ブラケットに着脱式に搭載させる固定具と、
を含んでいることを特徴とする電気コネクタ。
【請求項２】
固定具は固定突起を有した固定フランジを含んでおり、第２コネクタ要素はコネクタフランジを含んでおり、第２コネクタ要素は固定具とは反対側で搭載ブラケットに搭載され、コネクタフランジは複数の穴を有しており、固定突起を受領することを特徴とする請求項１記載の電気コネクタ。
【請求項３】
固定具は４本の固定突起を有した固定フランジを含んでおり、それら固定突起は固定フランジの４隅に提供されていることを特徴とする請求項１記載の電気コネクタ。
【請求項４】
固定具は螺子溝を有した環状円筒部を含んでおり、第１コネクタ要素の側面に提供された対応螺子溝と螺合することを特徴とする請求項１記載の電気コネクタ。
【請求項５】
搭載ブラケットは第２コネクタ要素を受領する円形開口部を有しており、フランジが該円形開口部から外側に広がっており、対応する固定突起を受領するように該円形開口部と連通する複数の放射状受領部が提供されていることを特徴とする請求項２記載の電気コネクタ。
【請求項６】
固定具は成型プラスチック製であり、固定突起は一体的に提供されていることを特徴とする請求項５記載の電気コネクタ。
【請求項７】
固定突起はプレスフィット式に第２コネクタ要素の穴に固定されることを特徴とする請求項６記載の電気コネクタ。
【請求項８】
電気コネクタであって、
(a)第１導電コネクタ要素と、
(b)第１導電コネクタ要素と接続されて通電させる第２導電コネクタ要素と、
(c)第１導電コネクタ要素を受領固定させるものであり、環状円筒部を含んで第１コネクタ要素を受領し、複数の固定突起を有した固定フランジをさらに含んで搭載ブラケットの対応受領部に該固定突起を挿入させ、本電気コネクタを該搭載ブラケットに着脱式に搭載させる固定具と、
を含んでおり、
(d)前記搭載ブラケットは第２コネクタ要素を受領する円形開口部と、円形開口部から外側に広がるフランジと、円形開口部と連通して放射状に延び、前記固定突起を対応的に受領する複数の放射状受領部とを有しており、
(e)第２コネクタ要素はコネクタフランジを含んでおり、前記固定具とは反対側で前記搭載フランジに搭載され、該コネクタフランジは固定突起を対応的に受領する複数の穴を有している、
ことを特徴とする電気コネクタ。
【請求項９】
固定具は成型プラスチック製であり、固定突起は一体的に提供されていることを特徴とする請求項８記載の電気コネクタ。
【請求項１０】
固定突起はプレスフィット式に第２コネクタ要素の穴に固定されることを特徴とする請求項９記載の電気コネクタ。
【請求項１１】
少なくとも１台の電気機器を関連させて有した座席であって、
(a)背凭れと座部とを有した座席基部と、
(b)座席に固定された電気コネクタ搭載用の搭載ブラケットと、
(c)電気機器を電源に接続させるように搭載ブラケットに搭載された電気コネクタと、
を含んで構成されており、該電気コネクタは、
(d)第１導電コネクタ要素と、
(e)第１導電コネクタ要素と接続されて通電させる第２導電コネクタ要素と、
(f)第１導電コネクタ要素を受領固定させるものであり、環状円筒部を含んで第１コネクタ要素を受領し、複数の固定突起を有した固定フランジをさらに含んで搭載ブラケットの対応受領部に該固定突起を挿入させ、本電気コネクタを該搭載ブラケットに着脱式に搭載させる固定具と、
を含んでおり、
(g)前記搭載ブラケットは第２コネクタ要素を受領する円形開口部と、円形開口部から外側に広がるフランジと、円形開口部と連通して放射状に延び、前記固定突起を対応的に受領する複数の放射状受領部とを有しており、
(h)第２コネクタ要素はコネクタフランジを含んでおり、前記固定具とは反対側で前記搭載フランジに搭載され、該コネクタフランジは固定突起を対応的に受領する複数の穴を有している、
ことを特徴とする座席。
【請求項１２】
固定具は成型プラスチック製であり、固定突起は一体的に提供されていることを特徴とする請求項１１記載の電気コネクタ。
【請求項１３】
固定突起はプレスフィット式に第２コネクタ要素の穴に固定されることを特徴とする請求項１２記載の電気コネクタ。
【請求項１４】
電気コネクタを搭載ブラケットに搭載させる搭載方法であって、
(a)
(i)第１導電コネクタ要素と、
(ii)第１導電コネクタ要素と接続されて通電させる第２導電コネクタ要素と、
(iii)第１導電コネクタ要素を受領固定させるものであり、環状円筒部を含んで第１コネクタ要素を受領し、複数の固定突起を有した固定フランジをさらに含んで搭載ブラケットの対応受領部に該固定突起を挿入させ、本電気コネクタを該搭載ブラケットに着脱式に搭載させる固定具と、
を提供するステップと、
(b)第１導電コネクタを固定具に搭載するステップと、
(c)搭載ブラケットの受領部に固定突起を挿入して固定具を搭載ブラケットに搭載させるステップと、
(d)第２導電コネクタ要素を第１導電コネクタ要素に接続するステップと、
を含んでいることを特徴とする搭載方法。
【請求項１５】
固定具であって、
(a)電気コネクタの第１導電コネクタ要素を受領固定させる環状円筒部と、
(b)搭載ブラケットの対応受領部に挿入させて本固定具を搭載ブラケットに搭載させ、電気コネクタを搭載ブラケットに着脱式に搭載させる複数の固定突起と、
を含んでいることを特徴とする固定具。
【請求項１６】
固定突起は第１導電コネクタ要素に着脱式に接続される第２導電コネクタ要素の対応穴と着脱式に係合することを特徴とする請求項１５記載の固定具。
【請求項１７】
固定突起は円筒部周囲のフランジに提供された軸方向突起体であることを特徴とする請求項１５記載の固定具。
【請求項１８】
固定突起とフランジとは円筒部と一体的に成型されていることを特徴とする請求項１５記載の固定具。
【発明の詳細な説明】
【技術分野】
【０００１】
本発明は簡単に取付け及び取外しができる電気コネクタに関する。一般的に電気コネクタは電気機器を電源とを接続するために使用される。本発明は特に飛行機の乗客座席用電気コネクタに関する。しかし、本発明はその他の利用にも供する。
【背景技術】
【０００２】
本明細書が対象とする一般的な電気コネクタは相互接続される２つの要素を含んでいる。多くは銃剣式であり、一方を他方に対して回転させることで接続/分離される様式である。一方の要素は電源に連結されており、他方の要素はモータ等の電気機器に連結されている。乗客シートの場合にはこれらコネクタはシートの背凭れ、座部及びレッグレストの制御装置を航空機の電気系統に電気接続するように使用される。
【０００３】
電気コネクタは固定されたブラケットに搭載されている。よってコネクタは固定されて利用される。この種の従来式コネクタは一方の要素（第１要素）がブラケットに搭載され、他方の要素（第２要素）が第１要素に固定される。
【０００４】
第１要素は複数のネジでブラケットに固定されることが多い。この理由でコネクタの設置及び交換は面倒である。多くの場合、コネクタは座席の裏等の利用が困難な場所に設置してある。加えて、１台のシートに複数のコネクタが存在することもある。まして飛行機には無数の座席が設置してある。新しい電気装置の導入等に関わる全ての電気コネクタの交換には相当な時間を要する。落下したり、紛失するネジは事故の元凶になり得る。
【発明の開示】
【発明が解決しようとする課題】
【０００５】
従って、本発明の１目的は取付け及び取外しが容易な電気コネクタの提供である。本発明の別目的は工具を必要とせずに取付け及び取外しができる電気コネクタの提供である。
【０００６】
本発明の別目的は現存する接続要素とブラケットとを活用できる電気コネクタの提供である。本発明の別目的はネジを使用せずに電気要素を相互固定させる固定具を含んだ電気コネクタの提供である。本発明の別目的は一体的に形成された使い捨て電気コネクタの提供である。
【課題を解決するための手段】
【０００７】
本発明のこれら並びに他の目的は、以下の好適実施例の説明で解説するように、第１導電コネクタ要素、第１コネクタ要素と接続されて電通させる第２導電コネクタ要素、及び第１コネクタ要素を受領する固定具を含んだ電気コネクタの提供で達成される。固定具は固定具を搭載ブラケットの固定部に搭載させる固定体を含んでおり、電気コネクタはブラケットに着脱式に搭載される。
【０００８】
本発明の１好適実施例によれば、固定具は固定体を有する固定フランジを含んでおり、第２コネクタ要素は、第２コネクタ要素を搭載ブラケットの固定具側からは反対側に搭載させるコネクタフランジを含んでいる。コネクタフランジは複数の穴を有しており、複数の固定体（突起）を受領する。
【０００９】
本発明の別好適実施例によれば、固定具は４つの固定体（突起）を４箇所に離れた状態で有している固定フランジを含んでいる。
【００１０】
本発明の別好適実施例によれば、固定具は第１コネクタ要素の側面に提供された螺子溝と螺合する螺子溝を有した環状円筒部を含んでいる。
【００１１】
本発明の別好適実施例によれば、搭載ブラケットは第２コネクタ要素を受領する円形開口部を含んでいる。コネクタフランジは円形開口部周囲で連通式に外側に延びる複数の放射状開口受領部を有しており、対応する固定体（突起）を受領する。
【００１２】
本発明の別好適実施例によれば、固定具は成型プラスチック材料で提供された軸方向の一体成型突起を含んでいる。
【００１３】
本発明の別好適実施例によれば、突起はプレスフィット（押留め）により第２コネクタ要素のフランジの対応穴に固定されるサイズで提供されている。
【００１４】
本発明の別好適実施例によれば、電気コネクタは第１コネクタ要素と、第１コネクタ要素と電気接続する第２コネクタ要素とを含んでいる。固定具は第１コネクタ要素を受領する。固定具のフランジは突起を有しており、固定手段を搭載ブラケットの対応固定部に搭載させ、電気コネクタ全体を搭載ブラケットに着脱式に搭載させる。搭載ブラケットは円形開口部を含み、第２コネクタ要素を受領する。搭載ブラケットのフランジは円形開口部周囲で外側に延びており、複数の開口受領部が円形開口部から放射状に延び出ており、対応する固定突起を受領する。第２コネクタ要素は、第２コネクタ要素を搭載ブラケットの固定具側とは反対側に搭載させるようにコネクタフランジを含んでいる。
【００１５】
本発明の別好適実施例によれば、乗客シートには少なくとも１つの電気作動式装置が接続される。シートは背凭れと座部とを含む。搭載ブラケットは電気コネクタを搭載させるようにシートに搭載される。電気コネクタは搭載ブラケットに搭載され、電気作動式装置を電源と導通させる。電気コネクタは第１コネクタ要素、第１コネクタ要素と電通する第２コネクタ要素、及び第１コネクタ要素を受領する固定具を含んでいる。固定具は環状円筒部を含んで第１コネクタ要素を受領し、固定突起を有した固定具の固定手段を搭載ブラケットの対応部分に搭載させ、電気コネクタを搭載ブラケットに着脱式に搭載させる。搭載ブラケットは第２コネクタ要素を受領する円形開口部を含んでおり、円形開口部周囲で外側に延びるフランジと複数の放射状受領部とを含んでいる。受領部は円形開口部と連通しており、対応する固定突起を受領する。第２コネクタ要素はコネクタフランジを含んでおり、搭載ブラケットの固定具側からは反対側に搭載される。コネクタフランジは複数の穴を有しており、固定突起を受領する。
【００１６】
本発明の別好適実施例によれば、固定具は成型プラスチック材料で提供され、固定突起は軸方向に延びる一体成型突起である。
【００１７】
本発明の別好適実施例によれば、固定突起はプレスフィット式に第２コネクタ要素のフランジの穴に固定されるサイズで提供されている。
【００１８】
本発明に従った搭載ブラケットへの電気コネクタの搭載方法の１実施例は、第１導電コネクタ要素、第１導電コネクタ要素と通電する第２導電コネクタ要素、及び第１コネクタ要素を受領する固定具を提供するステップを含む。固定具は固定突起を含み、搭載ブラケットの対応固定部分に搭載される。電気コネクタは搭載ブラケットに着脱式に搭載される。第１コネクタ要素は固定具に取り付けられ、固定具は固定突起を搭載ブラケットの受領部に挿入させて搭載ブラケットに搭載される。その結果、第２コネクタ要素は第１コネクタ要素に接続される。
【発明を実施するための最良の形態】
【００１９】
本発明の目的の一部を上述した。本発明の他の目的及び利点は図面を利用した以下の説明で理解されよう。本発明の電気コネクタ１０は図１で図示されている。電気コネクタ１０は飛行機シート１１に適用されている。シート１１は座基礎部１２、座部１３、背凭れ部１４及びアームレスト１５、１６を含んでいる。電気コネクタ１０は背凭れ部、座部またはレッグレストを調整させるモータ等の電気装置を電源と接続する。
【００２０】
図２、図３及び図４示す電気コネクタ１０は穴２１を有したブラケット２０を含んでいる。穴２１はブラケット２０を固定物に搭載させのに利用される。図４で示すブラケット２０は、円形開口部２３と、円形開口部２３から連通状態で放射状に延びる４本の放射状受領部２４を有した搭載フランジ２２を含んでいる。ブラケット２０の形状、ブラケット２０の搭載手段、長さ、曲り等は適宜決定する要素である。
【００２１】
ブラケットの搭載フランジ２２は３要素である第１コネクタ要素２６、第２コネクタ要素２８、及び固定具３６を一体的に固定する。第１コネクタ要素２６は固定具３６の環状円筒部３７に受領される。円筒部３７はフランジ３８と一体的に成型されている。フランジ３８は４本の軸方向に延びる固定突起３９を図示のごとく有している。好適には固定突起３９は適したプラスチックまたはナイロン素材で固定具３６と一体的に成型される。
【００２２】
第２コネクタ要素２８は、例えば銃剣式接続手段で第１コネクタ要素２６と接続される。第１コネクタ要素２６と第２コネクタ要素２８は相対的に１方向に回動されて接続され、反対方向に回動されて取り外される。第２コネクタ要素２８は４つの穴３０を有したコネクタフランジ２９を含んでいる。
【００２３】
図２、図３及び図４で示すように、４本の固定突起３９を搭載フランジ２２の４つの受領部２４に対応的に挿入して固定具３６を搭載フランジ２２の面にフィットさせることで固定具３６はブラケット２０に固定される。受領部２４を円形開口部２３とは非連続な４つの穴（図示せず）として搭載フランジ２２に提供することもできる。
【００２４】
突起３９を第２コネクタ要素２８のコネクタフランジ２９の穴３０にタイプ的にフィットさせることで第２コネクタ要素２８はブラケット２２に搭載される。好適には突起３９と穴３０はプレスフィット式であり、突起３９を穴３０と整合させた状態でコネクタフランジ２９をブラケット搭載フランジ２２に押し付けることで第２コネクタ要素２８をブラケットのフランジ２２に着脱式に取り付けることができる。ブラケットの搭載フランジ２２は固定具３６と第２コネクタ要素２８のコネクタフランジ２９との間で挟持される。
【００２５】
第１コネクタ要素２６を固定具３６と第２コネクタ要素２８の搭載要素とに整合させてプレス回動させることで電気接続は完成する。第１コネクタ要素２６と第２コネクタ要素２８の相互固定で全構造体は一体化する。固定具３６はブラケットのフランジ２２に固定される。工具や他の取り付け要素は不要である。
【００２６】
電気コネクタを取り外す際には、第１コネクタ要素２６を取り付け方向とは反対方向に回動させて取り外す。電気コネクタは、第２コネクタ要素２８をブラケットのフランジ２２から引っ張り、突起３９を第２コネクタ要素２８のコネクタフランジ２９の穴３０から引き抜くことで完全に取り外せる。
【００２７】
以上、電気コネクタを解説した。この実施例の変更や改良は可能である。よって、解説した実施例は本発明の説明に供するものであり、本発明を限定しない。
【図面の簡単な説明】
【００２８】
【図１】図１は飛行機シートの斜視図であり、本発明の電気コネクタの設置を図示する。
【図２】図２は搭載ブラケットに搭載された状態を示す本発明の１実施例による電気コネクタの斜視図である。
【図３】図３は図２で示す状態の電気コネクタと搭載ブラケットの側面図である。
【図４】図４は図２と図３で示す電気コネクタと搭載ブラケットの分解図である。
【図１】
2006518922.tif 000003
【図２】
2006518922.tif 000004
【図３】
2006518922.tif 000005
【図４】
2006518922.tif 000006
【国際調査報告】
2006518922.tif 000007